(57)【要約】【課題】従来のＬＥＤ電球は、筒状の基板の軸方向に沿った外側壁と軸方向に直角な外側面にＬＥＤを実装し、前記基板を覆うように透光性カバーを設けることにより、前記基板の軸に直角方向にも強い光を放射させることができ、照射範囲（配光領域）を広くすることができるが、製造工程が複雑となり、製造コストが高くなるという問題があった。【解決手段】  本願発明に係る照明装置は、複数の光源と、前記複数の光源に囲まれ、前記光源の発光面から光出射方向に突出した反射体を備えることを特徴とする。【選択図】図１
2010218959.tif 000002
【特許請求の範囲】
【請求項１】
複数の光源と、
前記複数の光源に囲まれ、前記光源の発光面から光出射方向に突出した突出部を有する反射体を備えることを特徴とする照明装置。
【請求項２】
前記複数の光源は周状に設けられ、
前記反射体は、前記突出部が前記周状の略中央部になるように設けられてなることを特徴とする請求項１に記載の照明装置。
【請求項３】
前記突出部は、柱状または筒状であることを特徴とする請求項１または請求項２に記載の照明装置。
【請求項４】
前記反射体は、
前記複数の光源と同一面側に反射面を有することを特徴とする請求項１から請求項３までの何れか１項に記載の照明装置。
【請求項５】
前記光源および前記反射体を覆い、前記光源から出射された光の少なくとも一部を光源側に反射する透光部を備えることを特徴とする請求項１から請求項４までの何れか１項に記載の照明装置。
【請求項６】
前記透光部は、
前記光源に対向する第１部分と、前記第１部分を囲む第２部分を有し、
前記第１部分の光透過率は、前記第２部分の光透過率よりも小さいことを特徴とする請求項５に記載の照明装置。
【請求項７】
前記光源は、発光ダイオードであることを特徴とする請求項１から請求項６までの何れか１項に記載の照明装置。
【発明の詳細な説明】
【技術分野】
【０００１】
本発明は、反射体を用いることにより配光を広くした照明装置に関する。
【背景技術】
【０００２】
近年、発光ダイオード（以下、ＬＥＤと記す）を光源とする照明装置の開発が行われており、ＬＥＤを光源とするＬＥＤ電球が提案されている（例えば特許文献１）。
【０００３】
図１２に示したのは、特許文献１に記載されている従来のＬＥＤ電球１０１の縦断面図である。該ＬＥＤ電球は、筒状の基板１０２の軸方向に沿った外側壁１０３と軸方向に直角な外側面１０４にＬＥＤ１０５を実装し、前記基板１０２を覆うように透光性カバー１０６を設けてある。前記構成とすることにより、特にＬＥＤ電球１０１の前記基板１０２の軸方向に直角な方向にも強い光を放射させることができ、ＬＥＤ電球１０１の光度の分布（配光）を広くすることができる。
【先行技術文献】
【特許文献】
【０００４】
【特許文献１】特開２００１−２４３８０７号公報
【発明の概要】
【発明が解決しようとする課題】
【０００５】
しかし、特許文献１に記載されているＬＥＤ電球１０１は、複数のＬＥＤ１０５を筒状の基板１０２の外側壁１０３と外側面１０４の何れにも実装させる必要があるため、製造工程が複雑となり、製造コストが高くなるという問題があった。
【０００６】
本願発明は、上記問題に鑑みてなされたものであり、簡単な構成で、配光を広くした照明装置を提供することを目的とする。
【課題を解決するための手段】
【０００７】
本発明の照明装置は、複数の光源と、前記複数の光源に囲まれ、前記光源の発光面から光出射方向に突出した突出部を有する反射体を備えることを特徴とする。
【０００８】
本発明によれば、周状に実装された光源から出射された光を、光源の発光面から光出射方向に突出した突出部で反射することにより、光出射方向と異なる方向に光を出射することができるので、反射体を備えるという簡単な構成で、照明装置の配光を広げることが可能となる。
【０００９】
本発明の照明装置は、さらに、前記複数の光源は周状に設けられ、前記反射体は、前記突出部が前記周状の略中央部になるように設けられてなることを特徴とする。
【００１０】
本発明によれば、周状に設けられた光源の略中央に突出部を有するように反射体を設けることにより、周方向に光源からの光を反射して出射することが可能となるので、照明装置の全周方向に光を出射させて、配光を広げることが可能となる。
【００１１】
本発明の照明装置は、さらに、前記突出部は、柱状または筒状であることを特徴とする。
【００１２】
本発明によれば、光源から出射した光を光出射方向と直交する方向に反射することができるので、例えば円錐状の突出部を有する反射体に比べて配光を広げることが可能となる。
【００１３】
本発明の照明装置は、さらに、前記反射体は、前記複数の光源と同一面側に反射面を有することを特徴とする。
【００１４】
本発明によれば、光源から出射された後に光源方向に反射した光を、反射面にて反射することができるので、光源から出射された光を損失することなく活用することが可能となる。
【００１５】
本発明の照明装置は、さらに、前記光源および前記反射体を覆い、前記光源から出射された光の少なくとも一部を光源側に反射する透光部を備えることを特徴とする。
【００１６】
本発明によれば、光源から出射された光の少なくとも一部を透光部にて光源側に反射することにより、光出射方向と異なる方向に出射する光として活用することができ、照明装置の配光を広げることが可能となる。
【００１７】
本発明の照明装置は、さらに、前記透光部は、前記光源に対向する第１部分と、前記第１部分を囲む第２部分を有し、前記第１部分の光透過率は、前記第２部分の光透過率よりも小さいことを特徴とする。
【００１８】
本発明によれば、透光部が、光源に対向し光源の光出射方向に設けられた第１部分にて光源からの光を反射し、第１部分よりも光透過率が大きい第２部分から出射させることができるので、照明装置の配光を広げることが可能となる。
【００１９】
本発明の照明装置は、さらに、前記光源は、発光ダイオードであることを特徴とする。
【００２０】
本発明によれば、前記反射体を設けることにより、発光ダイオードのような指向性の大きい光源であっても、照明装置の配光を広げることが可能となる。
【発明の効果】
【００２１】
本願発明によれば、簡単な構成で、照明装置の配光を広くすることが可能である。
【図面の簡単な説明】
【００２２】
【図１】本発明の実施の形態１に係る照明装置の要部組立斜視図である。
【図２】図１の照明装置の要部分解斜視図である。
【図３】図１の照明装置に用いられる反射体の要部拡大斜視図である。
【図４】図１の照明装置に用いられる駆動回路部のブロック図である。
【図５】図１の照明装置に用いられる駆動回路部の回路図である。
【図６】図１の照明装置の鉛直配光特性図である。
【図７】本発明の実施の形態２に係る照明装置に用いられる反射体の要部拡大斜視図である。
【図８】本発明の実施の形態２に係る照明装置の鉛直配光特性図である。
【図９】照明装置の光路を示す模式図である。
【図１０】本発明の実施の形態３に係る照明装置に用いられる反射体の要部拡大斜視図である。
【図１１】本発明の実施の形態４に係る照明装置の概略組立斜視図である。
【図１２】従来のＬＥＤ電球の縦断面図である。
【発明を実施するための形態】
【００２３】
以下、本発明の実施の形態に係る照明装置について、図面を用いて説明する。なお、照明装置として、ＬＥＤを光源として用いたＬＥＤ電球を例示して説明する。
【００２４】
（実施の形態１）
図１は、本発明の実施の形態１に係る照明装置の要部組立斜視図である。図２は、図１の照明装置の要部分解斜視図である。図３は、図１の照明装置に用いられる反射体の要部拡大斜視図である。図４は、図１の照明装置に用いられる駆動回路部のブロック図である。図５は、図１の照明装置に用いられる駆動回路部の回路図である。なお、図３の反射体の要部拡大斜視図は、反射体のＬＥＤが実装された放熱部に取り付けた状態を示しているので、ＬＥＤもあわせて示している。
【００２５】
図１から図５を参照して、実施の形態１に係る照明装置としてのＬＥＤ電球の構成について説明する。
【００２６】
ＬＥＤ電球１は、光源としての複数（例えば１０個）のＬＥＤ２と、該複数のＬＥＤを実装したガラスエポキシからなるＬＥＤ基板１０と、該複数のＬＥＤ２を実装したＬＥＤ基板１０を一端面である光源取付け面３に取り付けた放熱部４と、前記複数のＬＥＤ２からの光を拡散させて照射する透光部としての拡散カバー５と、該拡散カバー５で拡散されてＬＥＤ側に反射した一部の光を反射する反射体６と、前記放熱部４の内部に設けられた空洞の収容部（図示せず）に収容されて前記ＬＥＤ２を駆動する駆動回路部５２と、前記収容部に嵌合されて前記駆動回路部５２と前記放熱部４の電気的絶縁性を保持する筒状の絶縁ソケット８と、該絶縁ソケット８の一端に螺合されて商用電源と接続される口金９とを備えている。
【００２７】
前記ＬＥＤ２は、青色ＬＥＤ素子を黄色蛍光体を含有する封止樹脂で封止した表面実装型ＬＥＤであり、青色ＬＥＤ素子からの青色光と黄色蛍光体が青色ＬＥＤ素子からの光により励起されて発光する黄色光により、擬似白色の発光が可能である。
【００２８】
放熱部４は、例えばアルミニウム等の軽量かつ熱伝導性が高い金属からなり、外周面に複数枚の放熱フィンを有している。また、放熱部４の一端面の光源取付け面３には、電気的絶縁性を有するガラスエポキシからなるＬＥＤ基板を取り付けているが、熱伝導率の高いアルミニウム基板をＬＥＤ基板として用いて放熱部に取り付けても良い。なお、アルミニウム基板を用いる場合には、ＬＥＤ基板と放熱部との電気的絶縁性を保持するために絶縁シートを介して放熱部に取り付けることが好ましい。さらに、図示しないが、光源取付け面３には、放熱部４の収容部に収容されている駆動回路部５２とＬＥＤ２を接続する配線を挿通する配線挿通孔が設けられている。
【００２９】
拡散カバー５は、ポリカーボネート樹脂からなる乳白色の円筒形状のカバーであり、ポリカーボネート樹脂に拡散粒子を混合することにより、ＬＥＤ２からの光を拡散させて外部に出射する。また、ＬＥＤ２から出射されて拡散カバー５で拡散される光の一部は、拡散カバー５の光透過率に応じて、拡散カバー５を透過せずに、円筒内部のＬＥＤ側に反射される。
【００３０】
また、拡散カバー５は、天面１４の円筒内部側に拡散カバー５とは別体の拡散板（図示せず）を貼付することにより、天面１４の光透過率を天面１４の周囲の側周面１５の光透過率よりも小さくしている。つまり、拡散カバー５の天面１４を第１部分、側周面１５を第２部分とすると、第１部分の光透過率を第２部分の光透過率よりも小さくして、拡散カバー５を構成していることになる。なお、拡散カバー５および拡散板での光の吸収が僅かで略同一と考えると、光透過率が小さいほど、拡散カバー５を透過せずに反射される光が多くなる。
【００３１】
拡散カバー５を前記構成とすることによって、拡散カバー５の天面１４から出射される光量は減少し、その減少した光量の光は拡散カバー５の内部および反射体６で反射して、光透過率の大きい側周面から出射される可能性が高くなる。従って、光源が指向性の強いＬＥＤであっても、拡散カバー５の天面１４および側周面１５からなる全体から光を出射することができるので、ＬＥＤ電球の配光を広くすることができる。
【００３２】
なお、実施の形態１では、拡散カバー５の天面１４の光透過率を側周面１５の光透過率よりも小さくするために、天面１４に拡散板を貼付するという構成としているが、これ限定されず、拡散カバー５の天面１４の厚さを側周面１５の厚さよりも厚くすることによって天面１４の光透過率を小さくしてもよく、また、天面１４と側周面１５を別の材料で形成し、天面１４を側周面１５よりも光透過率が小さい材料とすることにより実現していてもよい。
【００３３】
反射体６は、反射率が高い白色のポリカーボネート樹脂からなり、放熱部４の光源取付け面３の形状に合わせた円板状の反射面１１と、該反射面１１の略中央に設けられる円筒状の突出部１２から構成される。
【００３４】
また、反射面１１は、光源取り付け面３に実装されたＬＥＤ２の位置および形状に対応した複数の光取り出し窓１３を有しており、反射体６は、ＬＥＤ２が実装されている側と同一面側の放熱部４の光源取付け面３に取付けられる。また、反射体６は、突出部１２が円周状に実装された複数のＬＥＤ２の略中央部にＬＥＤ２の発光面から光出射方向に突出するように設けられる。
【００３５】
なお、反射体６は、突出部１２と反射面１１が一体的に成形されているので、反射面１１を光源取付け面３に取り付けることで、突出部１２および反射面１１を一括して放熱部４に取り付けることができる。よって、製造工程を簡略化することができ、製造コストを低減することができる。
【００３６】
また、反射体６は、ＬＥＤ２からの光および拡散カバー５で反射した光を再度反射することによりＬＥＤ電球の配光を広くしているが、この点については、配光図を示しながら、詳細に後述する。
【００３７】
次に、駆動回路部について詳細に説明する。
【００３８】
駆動回路部５２は、口金９及び口金９から配設された配線により商用電源と電気的に接続されており、商用電源はまず保護回路部５３に接続される。保護回路部５３は、定格以上の過電流が流れると切断して駆動回路部５２（特に制御ＩＣ６４）及びＬＥＤを保護する電力ヒューズ（第１の電力ヒューズ６０・第２の電力ヒューズ６１）と、駆動回路部５２の周囲の雰囲気の温度が所定の温度以上になると切断して駆動回路部５２（特に制御ＩＣ６４）及びＬＥＤ２を保護する温度ヒューズ６２と、過電圧から駆動回路部５２（特に制御ＩＣ６４）及びＬＥＤ２を保護するバリスタ５９から構成される。
【００３９】
保護回路部５３の出力端は、フィルタ回路部５４に接続される。フィルタ回路部５４は、コンデンサＣ１、抵抗Ｒ２、チョークコイルＬ１から構成される。フィルタ回路部５４によって、商用電源から供給される交流に含まれるノイズが除去される。
【００４０】
フィルタ回路部５４の出力端は、整流回路部５５に接続される。整流回路部５５は、４つのダイオードから構成されるダイオードブリッジ６３であって、供給された交流が全波整流されて出力される。
【００４１】
整流回路部５５の出力端は、平滑回路部５６に接続される。平滑回路部５６は平滑コンデンサであって、整流回路部５５で全波整流された電流を直流に平滑化する。なお、平滑コンデンサＣ２として、例えば大容量の電解コンデンサが用いられる。
【００４２】
平滑回路部５６の出力端は、定電流制御部５７に接続される。定電流制御部５７は制御ＩＣであって、平滑回路部５６から入力される直流を制御して、直列に接続された複数のＬＥＤ２に定電流を供給する。なお、定電流制御部５７は、内部に降圧回路としてのトランスを内蔵しており、ＬＥＤ２の駆動電圧の大きさに降圧している。
【００４３】
また、定電流制御部５７の出力端の１つはＬＥＤ２の入力端に接続され、定電流制御部５７の出力端のもう１つは調光回路部５８に接続される。調光回路部５８はフォトカプラであって、調光信号を伝達する。
【００４４】
図５の駆動回路部の回路図を用いて、各電子回路部品の接続関係をより詳細に説明する。
【００４５】
交流である商用電源にバリスタ５９が並列に接続され、さらに商用電源の一端に第１の電力ヒューズ６０が接続され、他端に第２の電力ヒューズ６１と温度ヒューズ６２が接続されている。次に、保護回路部５３の出力端に、直列に接続された抵抗Ｒ２とコンデンサがＣ１並列に接続され、第１の電力ヒューズ６０の出力端にチョークコイルＬ１が接続されている。
【００４６】
さらに、ダイオードブリッジ６３及び平滑コンデンサＣ２が順に並列に接続され、平滑コンデンサＣ２の一端は定電流制御部５７である制御ＩＣ６４に接続されている。制御ＩＣ６４の出力端の１つは複数のＬＥＤからなる光源モジュール２に接続され、出力端の１つは調光回路部５８である第１のフォトカプラ６５及び第２のフォトカプラ６６に接続されている。
【００４７】
調光制御を行う場合は、制御ＩＣ６４に、第１のフォトカプラ６６から出力される調光信号を入力して、制御ＩＣ６４が調光信号に応じて、ＬＥＤに調光された電流を供給することにより為される。より詳細に説明すると、位相制御部（図示せず）を駆動回路部５２の電源入力側に設け、商用電源からの交流を位相制御機部で位相制御して調光を行うための電源波形を出力する。次に、第１のフォトカプラ６６は、前記電源波形に応答して、調光信号を制御ＩＣ６４に送信し、制御ＩＣ６４は前記調光信号に応じた出力制御（ＰＷＭ制御）を行うことによって、光源モジュール２は調光される。
【００４８】
以上の構成により、ＬＥＤに商用電源から供給される交流が定電流に変換されて入力されるので、ＬＥＤは所定の輝度で発光する。また、調光回路部５８を制御することにより、異なる輝度に切り替えて発光させることができる。定電流制御部５７に外部から調光を切り替える信号を入力することによって、ＬＥＤの輝度を変える構成とすることができる。
【００４９】
なお、上記駆動回路部５２の回路構成は一例であって、それぞれの回路部の構成は限定されるものではない。例えば、駆動回路部は、電力ヒューズ、温度ヒューズ及びバリスタからなる保護回路を備えているが、電力ヒューズ、温度ヒューズ及びバリスタの全てを有している必要はなく、その中の１つのみ有していてもよい。また、照明装置は、保護回路部と調光回路部の一方のみを有していてもよい。
【００５０】
次に、ＬＥＤ電球の配光について説明する。
【００５１】
図６は、図１のＬＥＤ電球の鉛直配光特性図である。図６の図中のＡ−Ａ´線は円筒状の突出部を有する反射体を備えた実施の形態１のＬＥＤ電球（以下、ＬＥＤ電球Ａと記す）の配光を示し、Ｂ−Ｂ´線は突出部を取り除いた円板状の反射面のみを有する反射体を備えた図１のＬＥＤ電球（以下、ＬＥＤ電球Ｂと記す）の配光を示し、Ｃ−Ｃ´線は突出部を取り除いた円板状の反射面のみを有する反射体を備え、さらに拡散カバーから拡散板を取り除いた図１のＬＥＤ電球（以下、ＬＥＤ電球Ｃと記す）の配光を示す。
【００５２】
なお、鉛直配光特性図とは、ＬＥＤ電球の各方向に対する光度の分布（配光）を示す鉛直配光曲線図であり、周方向は、光源であるＬＥＤの光中心を通る鉛直線（光軸）となす角度を、径方向は最大値を１００％として相対表示した光度を夫々示している。
【００５３】
図６に示すように、実施の形態１のＬＥＤ電球Ａの配光は、ＬＥＤ電球Ｂ及びＬＥＤ電球Ｃの何れの配光よりも広くなっている。特に、ＬＥＤ電球Ｃと比較して、光軸となす角が略２５°から略１５０°の間で光度が大きくなっており、配光が広くなっている。また、光軸となす角が略０°から略２０°の間では、逆に光度が小さくなっている。これは、鉛直方向に出射される光を光透過率の小さい拡散カバー５の天面１４で反射し、さらにその反射した光を反射体６にて再度反射することによって、拡散カバー５の光透過率の大きい側周面１５から光を出射するようにしているからである。
【００５４】
つまり、言い換えると、反射体６および拡散カバー５における反射を利用することによって、ＬＥＤ２から出射された光を天面１４から側周面１５に配分して出射することにより、ＬＥＤ２から出射された光を効果的に活用して、ＬＥＤ電球の配光を広げることが可能となる。
【００５５】
また、ＬＥＤ電球Ａの配光が、円筒状の突出部のないＬＥＤ電球Ｂの配光と比べても広くなっていることから、円筒状の突出部が配光を広げていることが分かる。なお、実施の形態１の反射体の突出部は円筒状であるが、筒の光出射方向の端面を反射体で塞いだ円柱状の反射体でも同様の効果を得ることができる。
【００５６】
以上、説明したように、円筒状の突出部を有する反射体を設けるという簡単な構成で、指向性のあるＬＥＤを光源として用いたＬＥＤ電球であっても、従来の白熱電球のように配光が広い照明が可能となる。
【００５７】
（実施の形態２）
次に、本発明の実施の形態２に係る照明装置としてのＬＥＤ電球について説明する
図７は、実施の形態２の照明装置に用いられる反射体の要部拡大斜視図である。実施の形態２の照明装置は、実施の形態１の照明装置と反射体を除いて同一の構成である。同一の構成については、同一の符号を付して、詳細な説明を省略する。
【００５８】
実施の形態２のＬＥＤ電球に用いられる反射体２３も、実施の形態１と同様に反射率が高い白色のポリカーボネート樹脂からなり、放熱部４の光源取付け面３の形状に合わせた円板状の反射面１１と、該反射面１１の略中央に設けられる円錐状の突出部２２から構成される。また、反射面１１は、光源取り付け面３に実装されたＬＥＤ２の位置および形状に対応した複数の光取り出し窓１３を有しており、反射体２３は、ＬＥＤ２が実装されている側と同一面側の放熱部４の光源取付け面３に取付けられる。さらにまた、反射体２３は、突出部２２が円周状に実装された複数のＬＥＤ２の略中央部にＬＥＤ２の発光面から光出射方向に突出するように設けられる。
【００５９】
なお、突出部２２は、反射面１１に一体的に成形されているので、反射面１１を光源取付け面３に取り付けることで、突出部２２および反射面１１を一括して放熱部４に取り付けることができるので、製造工程を簡略化することができる。
【００６０】
図８は、実施の形態２のＬＥＤ電球の鉛直配光特性図である。図８の図中のＤ−Ｄ´線は円筒状の突出部を有する反射体を備えた図１のＬＥＤ電球（以下、ＬＥＤ電球Ｄと記す）の配光を示し、Ｅ−Ｅ´線は実施の形態２に係る円錐状の突出部を有する反射体を備えた図１のＬＥＤ電球（以下、ＬＥＤ電球Ｅと記す）の配光を示し、Ｆ−Ｆ´線は突出部を取り除いた円板状の反射面のみの反射体を備えた図１のＬＥＤ電球（以下、ＬＥＤ電球Ｆと記す）の配光を示す。なお、ＬＥＤ電球ＤからＬＥＤ電球Ｆは、何れも拡散カバーから拡散板を取り除いている。
【００６１】
図８に示すように、実施の形態２のＬＥＤ電球Ｅの配光は、ＬＥＤの発光面から突出した突出部を有する反射体を備えていないＬＥＤ電球Ｆの配光よりも広くなっているが、円筒状の突出部を有する反射体を備えたＬＥＤ電球Ｄの配光よりも、配光が狭くなっている。このことにより、ＬＥＤの発光面よりも突出した突出部を有する反射体を備えることにより、配光を広くすることができるが、突出部の形状が円錐状の場合よりも円筒状の場合の方が配光が広くなることが分かる。
【００６２】
この点について、ＬＥＤから出射された光の光路を示す模式図を用いて説明する。
【００６３】
図９は、円筒状の突出部を有する反射体を備えたＬＥＤ電球（ＬＥＤ電球Ｄ）および円錐状の突出部を有する反射体を備えたＬＥＤ電球（ＬＥＤ電球Ｅ）のＬＥＤから出射された光の光路を示す模式図である。図９（Ａ）が円筒状の突出部を有する反射体を備えるＬＥＤ電球Ｄの模式図であり、図９（Ｂ）が円錐状の突出部を有する反射体を備えるＬＥＤ電球Ｅの模式図である。
【００６４】
図９に示すように、何れのＬＥＤ電球においても、ＬＥＤから出射された光は指向性が強いため、大部分の光は天面に到達し、一部が拡散カバーを透過し外部に出射され、一部が拡散カバーで拡散反射される。しかし、ＬＥＤの光源の指向性が強くても、一部の光は、図に示すように反射体に直接到達し反射される。この時、反射体の突出部が円筒状である場合（ＬＥＤ電球Ｄ）の方が、突出部が円錐状である場合（ＬＥＤ電球Ｅ）よりも、突出部の反射面がＬＥＤの光の光軸方向に対して平行に近いので、より多くに光が側周面方向に反射されて、拡散カバーの側周面から出射される。よって、ＬＥＤ電球Ｄの方が、ＬＥＤ電球Ｅよりも配光が広くなることになる。
【００６５】
また、図６および図８を参照して、拡散カバーの天面に拡散板を貼付したＬＥＤ電球Ａの配光が、拡散カバーの天面に拡散板を有しないＬＥＤ電球Ｄの配光よりも広くなっている。従って、拡散カバーのＬＥＤに対向する天面である第１部分の光透過率を、第１部分を囲む側周面である第２部分の光透過率よりも小さくすることによって、ＬＥＤ電球の配光が広くすることが可能となる。
【００６６】
（実施の形態３）
次に、本発明の実施の形態３に係る照明装置としてのＬＥＤ電球について説明する。
【００６７】
図１０は、実施の形態３の照明装置に用いられる反射体の要部拡大斜視図である。実施の形態３の照明装置は、実施の形態１の照明装置と反射体を除いて同一の構成である。同一の構成については、同一の符号を付して、詳細な説明を省略する。
【００６８】
実施の形態３のＬＥＤ電球に用いられる反射体３３も、実施の形態１と同様に反射率が高い白色のポリカーボネート樹脂からなり、放熱部４の光源取付け面３の形状に合わせた円板状の反射面１１と、該反射面１１の略中央に設けられる半球状の突出部３２から構成される。また、反射面１１は、光源取り付け面３に実装されたＬＥＤ２の位置および形状に対応した複数の光取り出し窓１３を有しており、反射体３３は、ＬＥＤ２が実装されている側と同一面側の放熱部４の光源取付け面３に取付けられる。また、反射体３３は、突出部３２が円周状に実装された複数のＬＥＤ２の略中央部にＬＥＤ２の発光面から光出射方向に突出するように設けられる。
【００６９】
実施の形態３のＬＥＤ電球においても、反射体３３が、ＬＥＤ２の発光面から突出する半球状の突出部３２を有しているので、上述したように、ＬＥＤ２から出射された光および拡散カバー５の天面１４で反射された光が側周面１５から出射される可能性が高くなるので、ＬＥＤ電球の配光を広くすることが可能となる。
【００７０】
（実施の形態４）
次に、本発明の実施の形態４に係る照明装置としてのＬＥＤ電球について説明する。
【００７１】
図１１は、実施の形態４の照明装置の概略組立斜視図である。実施の形態４の照明装置は、実施の形態１の照明装置と放熱部を除いて同一の構成である。同一の構成については、同一の符号を付して、詳細な説明を省略する。
【００７２】
実施の形態４のＬＥＤ電球４１は、放熱部４２が円筒形状であって、円筒の軸方向に平行な複数の非常に浅い放熱溝４３（略１．５ｍｍの深さ）を有している。なお、放熱部４３はアルミニウム等の軽量かつ熱伝導性が高い金属からなり、形状を除いて、実施の形態１の放熱部と同様である。放熱溝４３を浅くすることにより、放熱溝４３の清掃性が高まり、室内だけでなく鶏舎等の埃の多い屋外であっても、設置が可能となる。
【００７３】
また、図示していないが、拡散カバー５の内部は、実施の形態１と同様に、放熱部４３の一端面の光源取り付け面に複数のＬＥＤが円周状に実装されており、さらに、複数のＬＥＤで囲まれる略中央にＬＥＤの発光面から突出した突出部を有する反射体を備えている。なお、突出部の形状は円筒状に限定されず、円錐状、半球状または多角錐状等でも構わない。このような構成とすることにより、実施の形態４のＬＥＤ電球４１も、図６及び図８の鉛直方向配光特性図で示したように、ＬＥＤ電球の配光を広くすることが可能となる。
【００７４】
以上の実施の形態の説明において、ＬＥＤ電球を本発明の照明装置の一例として説明したが、これに限定されず、スポットライト、ダウンライト等の反射体を用いて配光を制御する照明装置であってもよい。また、光源は、ＬＥＤに限定されず、他の半導体発光素子、ＥＬ（Ｅｌｅｃｔｒｏｌｕｍｉｎｅｓｃｅｎｃｅ）等であってもよい。また、光源のＬＥＤは擬似白色のＬＥＤに限定されず、電球色や昼白色といった色温度の異なるＬＥＤでもよい。さらに、白色に限定されず、他の色のＬＥＤであってもよい。
【符号の説明】
【００７５】
１、４１  照明装置
２  ＬＥＤ（光源）
６、２３、３３  反射体
１１  反射面
１２、２２、３２  突出部
１４  天面（第１部分）
１５  側周面（第２部分）
【図１】
2010218959.tif 000003
【図２】
2010218959.tif 000004
【図３】
2010218959.tif 000005
【図４】
2010218959.tif 000006
【図５】
2010218959.tif 000007
【図６】
2010218959.tif 000008
【図７】
2010218959.tif 000009
【図８】
2010218959.tif 000010
【図９】
2010218959.tif 000011
【図１０】
2010218959.tif 000012
【図１１】
2010218959.tif 000013
【図１２】
2010218959.tif 000014